(57)【特許請求の範囲】
【請求項１】
遊技盤を設けた合成樹脂製の内枠と、
前記遊技盤の前面を覆うガラスを備えたガラスユニットと、
前記内枠の前面側にヒンジ部を介して開閉可能に設けられ、中央に開口を有し、前記開口を閉塞するように前記ガラスユニットを遊技盤側の内面に装着した合成樹脂製のガラス枠と、
を備えたパチンコ機であって、
前記ガラス枠のヒンジ部側辺縁部に、前記ガラス枠を閉じたときに前記内枠の内面に所定圧で当接する先端が略円筒状とされた板ばねを設けるとともに、
前記内枠の内面で、かつ前記板ばねの先端が当接する部位よりも前記内枠の背面側に、前記ガラス枠を開閉させたときに該ガラス枠に干渉しない程度の高さとされた凸部を、前記板ばねに沿うように形成したことを特徴とするパチンコ機。
【発明の詳細な説明】
【０００１】
【発明の属する技術分野】
本発明は、遊技盤を取り付ける内枠及びその前面に開閉可能に蝶着するガラス枠を合成樹脂で成形したパチンコ機に係り、詳しくは、それらの隙間からピアノ線や薄いプラスチック板等の不正操作部材を内部に進入させる不正行為を防止できるようにしたパチンコ機に関する。
【０００２】
【従来の技術】
一般のパチンコ機にあっては、外枠の前側に、遊技盤を取り付ける額縁状の内枠が開閉可能に蝶着され、その内枠の前側に、ガラスを備えたガラス枠が開閉可能に蝶着されている。そして、近年のパチンコ機では、外観の品質、デザインの向上等を図るため、内枠やガラス枠を合成樹脂で成形することが多くなってきている。
【０００３】
【発明が解決しようとする課題】
しかしながら、合成樹脂で成形すると、枠自体の強度が弱くなり、特にガラス枠は大型のガラスを２枚備えた重量物であるため、全体に曲げや捩れ等が生じないように、その剛性を高める必要がある。したがって、従来から、そのガラス枠の外周には補強板金を設ける等の補強手段が施されている。このように、合成樹脂製の内枠、ガラス枠にあっては、全体の曲げ、捩れ等を抑えることが必要であるが、外周縁部分が外力により変形や破損しないことも望まれている。つまり、その外周縁部分が変形しやすいと、それによって生じた隙間からピアノ線や薄いプラスチック板等を差し込んで不正に賞球を獲得する、いわゆるゴト行為が可能になってしまう。
【０００４】
また、図６で示すように、内枠８０には、ガラス枠８２がヒンジ軸８４を中心にして回動するときに、ガラス枠８２の外端部８２Ａが干渉しないような回避スペースが形成されており、ガラス枠８２を閉じたときに、その回避スペースによって、内枠８０とガラス枠８２との間に隙間Ｗが生じる場合がある。そのため、その隙間Ｗを外方側から被覆するように、内枠８０には被覆部材７８が前方に向かうように突設されているが、内枠８０（被覆部材７８）やガラス枠８２が合成樹脂製であると、被覆部材７８とガラス枠８２との間の隙間Ｗを広げるような変形が可能となり、そこからピアノ線Ｐ等をパチンコ機内部に進入させるゴト行為が可能になってしまう。
【０００５】
また、内枠は木材等で構成された外枠に開閉可能に蝶着されており、施錠装置によってロックされるようになっている。そして、従来、外枠と内枠との間は、その施錠装置によりロックされることで隙間が生じることはなかった。しかしながら、上記したように内枠が合成樹脂製であると、その歪み等によって隙間が生じる場合が出てくる。また、パチンコ球を貯留する球受アッシーや発射ハンドルが取り付けられた一体皿が、ガラス枠の下方で内枠に開閉可能に蝶着されている場合、その一体皿とガラス枠との境界部分、即ち一体皿の上縁部とガラス枠の下縁部との間には少なからず隙間が生じていた。このような隙間が存在すると、上記した不正行為が簡単に行われてしまう不具合がある。
【０００６】
そこで、本発明は、上記事情に鑑み、合成樹脂製の内枠、ガラス枠を備えたパチンコ機であっても、ピアノ線、薄いプラスチック板等の不正操作部材を内部へ進入させる不正行為を防止することができるパチンコ機を得ることを目的とする。
【０００７】
【課題を解決するための手段】
上記の目的を達成するために、本発明に係る請求項１に記載のパチンコ機は、遊技盤を設けた合成樹脂製の内枠と、前記遊技盤の前面を覆うガラスを備えたガラスユニットと、前記内枠の前面側にヒンジ部を介して開閉可能に設けられ、中央に開口を有し、前記開口を閉塞するように前記ガラスユニットを遊技盤側の内面に装着した合成樹脂製のガラス枠と、を備えたパチンコ機であって、前記ガラス枠のヒンジ部側辺縁部に、前記ガラス枠を閉じたときに前記内枠の内面に所定圧で当接する先端が略円筒状とされた板ばねを設けるとともに、前記内枠の内面で、かつ前記板ばねの先端が当接する部位よりも前記内枠の背面側に、前記ガラス枠を開閉させたときに該ガラス枠に干渉しない程度の高さとされた凸部を、前記板ばねに沿うように形成したことを特徴としている。
【０００８】
請求項１に記載の発明によれば、ガラス枠を閉じたときに、そのガラス枠に設けられた板ばねによって確実に内枠との隙間を閉塞することができる。つまり、板ばねは、所定圧で内枠に当接させることができるため、内枠やガラス枠に成形上の誤差があっても、確実に隙間を閉塞することができる。
【０００９】
したがって、ヒンジ部側にできる内枠とガラス枠との隙間からパチンコ機内部へピアノ線や薄いプラスチック板等の不正操作部材を進入させようとしても、その不正操作部材は板ばねに当接してしまい、それ以上の進入が阻止される。また、万が一、不正操作部材が内枠と板ばねとの間をすり抜けて、更にパチンコ機内部へ進入しようとしても、その位置には凸部が突設されているので、不正操作部材は、その凸部に当接してしまい、それ以上の進入が阻止される。よって、不正行為は確実に防止される。
【００１０】
また、板ばねの先端は、略円筒状とされているので、ガラス枠を開閉動作させたとき、その板ばねに接触してケガをするような心配もなく、かつ、内枠を傷つけるような不具合もない。
【００１１】
なお、ガラス枠の下方で、内枠にヒンジ部を介して開閉可能に設けられる一体皿を備えたパチンコ機において、一体皿の上縁部の背面側に、上方かつ前方に向かう階段状の係合部を連設し、ガラス枠を閉じたときに、そのガラス枠の下縁部が係合部に係合することにより、下縁部と係合部との間に階段状に曲折する迷路構造が形成される構成にしてもよい。
【００１２】
これによれば、一体皿の上縁部とガラス枠の下縁部との隙間からパチンコ機内部へピアノ線や薄いプラスチック板等の不正操作部材を進入させようとしても、その隙間は階段状に曲折する迷路構造になっているため、不正操作部材のパチンコ機内部への進入が阻止される。したがって、不正行為は確実に防止される。
【００１３】
また、このとき、その係合部が、ガラス枠と一体皿との隙間に連続する袋部と、その袋部よりも上方側で、ガラス枠の下縁部が係合する段差部と、を有することが好ましい。
【００１４】
これによれば、一体皿の上縁部とガラス枠の下縁部との隙間からパチンコ機内部へピアノ線や薄いプラスチック板等の不正操作部材を進入させようとしても、その不正操作部材は、袋部に差し込まれるだけとなる。したがって、不正操作部材のパチンコ機内部への進入が確実に阻止される。
【００１５】
【発明の実施の形態】
以下、図面を参照して本発明の実施の形態を説明する。図１は本発明の一実施形態に係るパチンコ機１０の斜視図である。図１で示すように、パチンコ機１０は外枠１２を備え、外枠１２の前面には、窓部を有する額縁状の内枠１４がヒンジ部を介して開閉可能に蝶着されている。そして、内枠１４には、ガラス（透明な合成樹脂板も含む）１８を装着するガラス枠２０がヒンジ部を介して開閉可能に蝶着されている。なお、内枠１４及びガラス枠２０は、内枠１４に設けられた施錠装置１６により、それぞれ外枠１２及び内枠１４に対して施錠されるようになっている。
【００１６】
内枠１４の窓部には遊技盤２２が交換可能に設置され、その遊技盤２２には特別図柄表示装置、大入賞口（変動入賞装置）等の各種役物、始動口や各種入賞口、風車、装飾風車、アウト口等（以上、符号省略）が配設されている。また、ガラス枠２０の下方位置には、パチンコ球を貯留する球受アッシー２４、図示しない打球発射装置により遊技盤２２の遊技部に打ち込む打球の飛距離を調整するための発射ハンドル２６及び灰皿２８を一体に設けた一体皿アッシー３０が、内枠１４にヒンジ部を介して開閉可能に蝶着されている（図１では閉められた状態が示されている）。
【００１７】
ガラス枠２０は、大きく分けて、中央に大きな開口３４を設けた合成樹脂製の枠本体３２と、枠本体３２の前面側に設けられ、光源やスピーカー（図示せず）等を内蔵した光を透過する合成樹脂製のレンズ３６等から構成されている。レンズ３６は、光源やスピーカー（図示せず）等を内蔵しているため、裏面側に凹部が形成されており、全体的に内枠１４の前面よりも突出している。枠本体３２は、中央に大きな開口３４を設けた平面部分（遊技盤２２と対向する部分）３２Ａを備え、平面部分３２Ａの外周には平面部分３２Ａと直角な側面３２Ｂが一体的に設けられている。
【００１８】
また、枠本体３２の平面部分３２Ａ内面には、ガラスユニット３８が着脱自在に配置される。このガラスユニット３８は、合成樹脂で成形された枠状のガラスフレーム４０にガラス１８を２枚互いに平行に一定の間隔を開けて接着剤等で固定したものであり、ガラスフレーム４０には、幅方向の一方側に２本のピン４２が下向きに突設され、幅方向の他方側に２枚の係止片４４が突設されている。
【００１９】
更に、枠本体３２の平面部分３２Ａ内面には、枠本体３２の辺縁部に沿って補強板金４６が配置されている。この補強板金４６は、図１で示すように、矩形の枠形状に連結されるとともに、断面視略Ｌ字型形状となるように成形されており、枠本体３２の平面部分３２Ａと平行に配置される部分が枠取付面４６Ａとされ、枠取付面４６Ａと直角で、かつ枠本体３２の側面３２Ｂと平行な部分が補強面４６Ｂとされている。
【００２０】
また、下辺縁部側に配設された補強板金４６直上部における平面部分３２Ａには、ガイド板３２Ｃが水平に突設されている。このガイド板３２Ｃは、ガラスユニット３８を閉める際に、ガラスユニット３８の下面をガイドするように、一部がテーパー形状となっている。なお、下辺縁部側に配設された補強板金４６の補強面４６Ｂは、ガイド板３２Ｃの変形や損傷を抑えるために、ガイド板３２Ｃの下面に密着している。
【００２１】
また、遊技盤２２に向かって右辺縁部側に配設された補強板金４６の上下には、略Ｌ字状に屈曲成形されたカギ受け部４８が所定間隔を隔てて設けられている。そして、内枠１４には、そのカギ受け部４８に係止可能なフック状のカギ部５０が上下に設けられている。
【００２２】
また、左辺縁部側に配設された補強板金４６の枠取付面４６Ａの上端部及び下端部には、ヒンジ軸受け部が一体に形成されている。上側のヒンジ軸受け部（図示省略）には、コイルスプリングが巻装されて上方に向かって付勢されたヒンジ軸（図示省略）が挿入され、そのヒンジ軸は上下方向にスライド移動可能に支持されている。そして、図２で示すように、下側のヒンジ軸受け部５８には、内枠１４の下部に取り付けられたヒンジ軸５４が挿入され、ガラス枠２０が、図示しないヒンジ軸及びヒンジ軸５４に支持されて回動するようになっている。
【００２３】
また、その左辺縁部側の枠取付面４６Ａの中間部分と下端付近には、ガラスフレーム４０に突設されたピン４２が回転自在に支持される軸受け５２が形成されている。しかして、ガラスユニット３８は、ピン４２が軸受け５２で支持されることにより、枠本体３２の内側で開閉可能となっている。そして、枠本体３２の平面部分３２Ａの内面側には一対のロックレバー５６が回動可能に取り付けられており、ロックレバー５６を下向きに回動させることにより、ガラスフレーム４０の係止片４４をロックレバー５６と枠本体３２内面との間に挟持し、ガラスユニット３８を閉止した状態で固定できるようになっている。
【００２４】
なお、このガラスユニット３８のガラスフレーム４０及びガラス１８は、枠本体３２の開口３４よりも大きく形成されており、ガラスユニット３８を閉めたときに、枠本体３２の開口３４はガラス１８によって内側から完全に塞がれるようになっている。
【００２５】
また、図１、図２で示すように、ガラス枠２０の左辺縁部側には、従来技術で説明した隙間Ｗを閉塞可能な板ばね６０が、補強板金４６に沿って（ヒンジ軸と平行に略左辺縁部全長に亘って）設けられている。この板ばね６０の基部は補強板金４６と共にリベット止めやねじ止め等の固着手段により取り付けられ、先端（外方側）は略円筒状（平面視略円形状）に屈曲成形されている。そして、この板ばね６０の先端が、ガラス枠２０を閉じたときに、所定のばね圧で内枠１４の左辺縁部内面に当接するように構成されている。
【００２６】
したがって、ピアノ線Ｐ等を隙間Ｗから進入させても、その板ばね６０によって内部への進入を確実に阻止でき、かつ、内枠１４やガラス枠２０に成形上の寸法誤差が生じても、確実に隙間Ｗを閉塞することができる。また、板ばね６０の先端は、略円筒状（平面視略円形状）に形成されているので、ガラス枠２０を開閉させたときに、その板ばね６０の先端に接触してケガをするような心配もない。そして、その板ばね６０の先端によって内枠１４の左辺縁部内面を傷つけるような不具合もない。
【００２７】
更に、板ばね６０の先端が当接する内枠１４の左辺縁部内面で、かつガラス枠２０を閉じたときに、その板ばね６０の先端よりも後方となる部位には、所定高さ（ガラス枠２０を開閉させるとき、その外端部２０Ａが干渉しない程度の高さ）の凸部６２が、補強板金４６に沿って（板ばね６０と平行に略左辺縁部全長に亘って）設けられている。したがって、万が一、内枠１４の左辺縁部内面と板ばね６０の先端との間にピアノ線Ｐ等が強引に押し込まれても、その凸部６２が障壁となってピアノ線Ｐ等の進入を阻止するので、不正行為は確実に防止される。
【００２８】
なお、図２で示すように、ヒンジ軸受け部５８の後方側（内枠１４側）には底面視略扇型形状の透明な仕切板６４が設けられており、この仕切板６４の周縁部には下方に向かう周壁６４Ａが形成されている。このため、下方からのピアノ線Ｐ等の進入も防止され、かつ、仕切板６４は透明であるため、ヒンジ軸受け部５８にヒンジ軸５４を取り付ける作業も目視しながら簡単に行うことができる。
【００２９】
また、図３、図４で示すように、ヒンジ部とは反対側の右辺縁部側（施錠装置１６側）においてもピアノ線Ｐ等の進入防止手段が設けられている。すなわち、外枠１２に対して内枠１４を閉じたときに、内枠１４の裏面に設けられた施錠装置１６のフック状のカギ部６６が、外枠１２のカギ受け部６８に係止されるが、このカギ部６６は、内枠１４の右辺縁部裏面に設けられたプレート７０に図示しない係脱機構を介して設けられている。
【００３０】
プレート７０は、内枠１４の右辺縁部に沿って、かつ、その上下略全長に亘って取り付けられており、図４で示すように、そのプレート７０の外方側の辺縁部（外端部）が後方に向かって（外枠１２に向かって）約９０°屈曲成形され、所定高さ（幅）の立ち上がり壁部７０Ａとなっている。したがって、内枠１４が合成樹脂製で、歪み等により変形し、外枠１２との間に隙間Ｓが生じても、その立ち上がり壁部７０Ａによって、隙間Ｓからのピアノ線Ｐ等の進入を完全に阻止することができる。なお、立ち上がり壁部７０Ａはプレート７０と一体成形した方が部品点数の削減が図れて好ましいが、別体としてプレート７０又は内枠１４の裏面に取り付けるように構成しても構わない。
【００３１】
また、図５で示すように、ガラス枠２０の下縁部と一体皿３０の上縁部との間にもピアノ線Ｐ等の進入防止手段が設けられている。すなわち、一体皿３０の上縁部には、後方（内方）に向かって所定長さ水平に延出されたリブ７２が左右略全長に亘って一体に設けられており、そのリブ７２の後端には、上方で、かつ前方に向かう階段状の係合部７４が一体に連設されている。そして、一体皿３０を閉じた後に、ガラス枠２０を閉じることにより、ガラス枠２０の下縁部に設けられている側面３２Ｂが係合部７４の内面に係合されるようになっている。
【００３２】
すなわち、係合部７４の内面側は、側面視略コ字状をなす袋部７４Ａと、側面３２Ｂの先端が接触又は非接触で係合する段差部７４Ｂとを備えており、ガラス枠２０と一体皿３０との隙間Ｕから上方に向かって連続する空間が非直線的な空間となるように（迷路構造となるように）構成されている。したがって、ピアノ線Ｐ等をガラス枠２０と一体皿３０との隙間Ｕから進入させても、ピアノ線Ｐ等はその係合部７４で形成された袋部７４Ａ内に差し込まれるだけで、それ以上の進入が阻止される。つまり、係合部７４は上前方に向かう階段状に形成されているので、ピアノ線Ｐ等はその階段状に形成された空間を通すことが不可能であり、これによって、内部への進入が確実に阻止される。
【００３３】
以上のような構成のパチンコ機１０において、更にその作用を一通り説明すると、まず、図２で示すように、ヒンジ部側に発生するガラス枠２０と内枠１４との隙間Ｗからパチンコ機１０内部へピアノ線Ｐを進入させようとしても、ピアノ線Ｐは板ばね６０に当接してしまい、それ以上の進入が阻止される。しかも、万が一、ピアノ線Ｐが内枠１４内面と板ばね６０先端との間をすり抜けて、更に内部に進入しようとしても、その位置には凸部６２が突設されているので、ピアノ線Ｐはその凸部６２に当接してしまい、それ以上の進入が阻止される。したがって、不正行為は確実に防止される。
【００３４】
また、図４で示すように、施錠装置１６側に発生する外枠１２と内枠１４との隙間Ｓからパチンコ機１０内部へピアノ線Ｐを進入させようとしても、ピアノ線Ｐは内枠１４裏面に配設されている施錠装置１６のプレート７０の立ち上がり壁部７０Ａに当接してしまうので、それ以上の進入は不可能となり、内部への進入が確実に阻止される。したがって、不正行為を防止できる。
【００３５】
更に、図５で示すように、正面側のガラス枠２０と一体皿３０との隙間Ｕからパチンコ機１０内部へピアノ線Ｐを進入させようとしても、一体皿３０の上縁部内側にはリブ７２が延設され、更にその後端部からは階段状の係合部７４が上前方に向かって連設されるとともに、その段差部７４Ｂにはガラス枠２０の側面３２Ｂが係合しているので、ピアノ線Ｐの内部への進入経路となる空間は階段状に曲折する迷路構造となり、ピアノ線Ｐを屈曲させながら進入させることが、たとえ強引でも不可能である以上、ピアノ線Ｐは袋部７４Ａに差し込まれるだけとなって、内部への進入が確実に阻止される。したがって、不正行為を防止できる。
【００３６】
【発明の効果】
以上、何れにしても本発明によれば、歪み等により変形しやすい合成樹脂製の内枠、ガラス枠を備えたパチンコ機であっても、ピアノ線、薄いプラスチック板等の不正操作部材をパチンコ機内部へ進入させる不正行為を確実に防止することができる。
【図面の簡単な説明】
【図１】本発明に係るパチンコ機の正面側から見た概略斜視図
【図２】本発明に係るパチンコ機の板ばねを備えたヒンジ部側の概略底面図
【図３】本発明に係るパチンコ機の背面側から見た概略斜視図
【図４】本発明に係るパチンコ機の施錠装置側の概略平断面図
【図５】本発明に係るパチンコ機のガラス枠と一体皿の境界部分を示す概略断面図
【図６】従来のパチンコ機におけるヒンジ部側の概略底面図
【符号の説明】
１０    パチンコ機
１２    外枠
１４    内枠
１６    施錠装置
２０    ガラス枠
２２    遊技盤
３０    一体皿
３８    ガラスユニット
６０    板ばね
６２    凸部
７０    プレート
７０Ａ  立ち上がり壁部
７２    リブ
７４    係合部
【図１】
0004141146.tif 000002
【図２】
0004141146.tif 000003
【図３】
0004141146.tif 000004
【図４】
0004141146.tif 000005
【図５】
0004141146.tif 000006
【図６】
0004141146.tif 000007